【事件の表示】
　特願２０１６−　１７２９９「遊技機」拒絶査定不服審判事件〔平成２８年　５月１９日出願公開、特開２０１６−　８３５０４〕について、次のとおり審決する。
【結　論】
　本件審判の請求は、成り立たない。
【理　由】
第１　手続の経緯
　本願は、平成２４年１０月３０日に出願した特願２０１２−２３９００３号の一部を平成２８年２月１日に新たな特許出願（特願２０１６−１７２９９号）としたものであって、同年８月２５日に手続補正書が提出され、平成２９年１月１１日付けで拒絶の理由が通知され、同年３月１６日に意見書及び手続補正書が提出されたところ、同年８月２２日付けで拒絶査定（以下「原査定」という。）がなされ、それに対して、同年１１月２８日に拒絶査定不服審判の請求がなされると同時に手続補正がなされたものである。
　なお、請求人は、審査官が平成３０年１月２６日に作成した特許法第１６４条第３項に定める報告（前置報告）の内容に対して、同年３月１６日に上申書（以下単に「上申書」という。）を提出している。
　
第２　平成２９年１１月２８日にされた手続補正についての補正の却下の決定
〔補正の却下の決定の結論〕
　平成２９年１１月２８日にされた手続補正（以下「本件補正」という。）を却下する。
　
〔理由〕
１　本件補正について（補正の内容）
（１）本件補正は、特許請求の範囲についてする補正を含むものであって、平成２９年３月１６日付け手続補正書によって補正された本件補正前の請求項１に、
「可変表示を行う遊技機であって、
　遊技媒体が所定領域を通過したことにもとづいて、可変入賞装置を遊技媒体が入賞しやすい状態に制御することが可能な可変入賞装置制御手段と、
　未だ開始していない可変表示において導出表示される表示結果が特定表示結果となるか否かを判定する判定手段と、
　前記可変入賞装置が遊技媒体が入賞しやすい状態に制御されることを示唆する所定演出を実行する所定演出実行手段と、
　前記判定手段による判定にもとづいて、当該判定の対象となった可変表示が実行される前の複数回の可変表示に亘って予告演出を実行するか否かを決定する予告演出決定手段と、
　前記予告演出決定手段の決定にもとづいて前記予告演出を実行する予告演出実行手段とを備え、
　前記所定演出実行手段は、
　　前記予告演出が実行されたときには、該予告演出が実行されないときに比べて、高い割合で前記所定演出を実行し、
　　前記可変入賞装置が遊技媒体が入賞しやすい状態に制御されている間、継続して前記可変入賞装置の位置
を特定可能に
る、
　
「可変表示を行う遊技機であって、
　遊技媒体が所定領域を通過したことにもとづいて、可変入賞装置を遊技媒体が入賞しやすい状態に制御することが可能な可変入賞装置制御手段と、
　未だ開始していない可変表示において導出表示される表示結果が特定表示結果となるか否かを判定する判定手段と、
　前記可変入賞装置が遊技媒体が入賞しやすい状態に制御されることを示唆する所定演出を実行する所定演出実行手段と、
　前記判定手段による判定にもとづいて、当該判定の対象となった可変表示が実行される前の複数回の可変表示に亘って予告演出を実行するか否かを決定する予告演出決定手段と、
　前記予告演出決定手段の決定にもとづいて前記予告演出を実行する予告演出実行手段とを備え、
　前記所定演出実行手段は、
　　前記予告演出が実行されたときには、該予告演出が実行されないときに比べて、高い割合で前記所定演出を実行し、
　　前記可変入賞装置が遊技媒体が入賞しやすい状態に制御されている間、継続して前記可変入賞装置の位置
を
し、
　　
第１報知態様と、当該第１報知態様と異なる第２報知態様とに報知態様を切り替えて前記可変入賞装置の位置を報知する、
　なお、下線は、補正前後の該当箇所を明示するために合議体が付した。
　
（２）本件補正後の請求項１に係る上記（１）の補正は、次の補正事項からなる。
　本件補正前の請求項１に係る発明を特定するために必要な事項である「所定演出実行手段」が「前記可変入賞装置が遊技媒体が入賞しやすい状態に制御されている間、継続して前記可変入賞装置の位置を特定可能に報知する」ものから、「所定演出実行手段」が「前記可変入賞装置が遊技媒体が入賞しやすい状態に制御されている間、継続して前記可変入賞装置の位置を報知し、第１報知態様と、当該第１報知態様と異なる第２報知態様とに報知態様を切り替えて前記可変入賞装置の位置を報知する」とする補正。
　
２　本件補正の目的
（１）上記１（２）の補正は、願書に最初に添付された特許請求の範囲、明細書又は図面の【０３４５】、図４６等の記載に基づいて、本件補正前の請求項１において記載されていた「前記可変入賞装置の位置を報知する」のが、「前記可変入賞装置の位置」を単に「報知する」だけでなく、「第１報知態様と、当該第１報知態様と異なる第２報知態様とに報知態様を切り替えて」「報知する」によるものであることに限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＦは、分説するため合議体が付した。
　
「Ａ　可変表示を行う遊技機であって、
　Ｂ　遊技媒体が所定領域を通過したことにもとづいて、可変入賞装置を遊技媒体が入賞しやすい状態に制御することが可能な可変入賞装置制御手段と、
　Ｃ　未だ開始していない可変表示において導出表示される表示結果が特定表示結果となるか否かを判定する判定手段と、
　Ｄ　前記可変入賞装置が遊技媒体が入賞しやすい状態に制御されることを示唆する所定演出を実行する所定演出実行手段と、
　Ｅ　前記判定手段による判定にもとづいて、当該判定の対象となった可変表示が実行される前の複数回の可変表示に亘って予告演出を実行するか否かを決定する予告演出決定手段と、
　Ｆ　前記予告演出決定手段の決定にもとづいて前記予告演出を実行する予告演出実行手段とを備え、
　前記所定演出実行手段は、
　Ｄ−１　前記予告演出が実行されたときには、該予告演出が実行されないときに比べて、高い割合で前記所定演出を実行し、
　Ｄ−２　前記可変入賞装置が遊技媒体が入賞しやすい状態に制御されている間、継続して前記可変入賞装置の位置を報知し、
　Ｄ−３　第１報知態様と、当該第１報知態様と異なる第２報知態様とに報知態様を切り替えて前記可変入賞装置の位置を報知する、遊技機。」
（２）引用例
　ア　原査定の拒絶の理由で引用文献４として引用され、本願出願遡及日前に頒布された又は電気通信回線を通じて公衆に利用可能となった特開２０１２−２４２６７号公報（平成２４年２月９日出願公開、以下「引用例１」という。）には、次の事項が図とともに記載されている（下線は引用発明等の認定に関連する箇所を明示するために合議体が付した。以下同様。）。
　（ア）「【技術分野】
【０００１】
　本発明は、図柄を変動表示させてから停止表示させる変動サイクルを１又は複数回連続して行うとともに、当該変動サイクル毎に特定の演出を行う連続演出を実行可能な遊技機に関するものである。
　・・・略・・・
【発明が解決しようとする課題】
【０００５】
　ところで、擬似連続演出や連続予告演出は、リーチ演出さえ実行されないはずれの図柄変動ゲームを対象にして行われたとき、大当りになるかもしれないことを示唆する大当り示唆演出が実行されないまま擬似連続演出又は連続予告演出が終了してしまう場合がある。このような場合、まだ擬似連続演出又は連続予告演出が継続して実行されるかもしれないと遊技者は期待しているにも係らず、擬似連続演出及び連続予告演出は終了してしまうので、遊技に対する興趣を低下させてしまう虞があった。
【０００６】
　この発明は、このような従来の技術に存在する問題点に着目してなされたものである。その目的は、図柄の変動表示及び停止表示を１又は複数回行う連続演出を実行する場合、当該連続演出がいつ終了するかを遊技者に認識させることのできる遊技機を提供することにある。」
　（イ）「【発明を実施するための形態】
【００１５】
　以下、本発明を遊技機の一種であるパチンコ遊技機に具体化した一実施形態を図１〜図１６に基づいて説明する。
　図１に示すように
パチンコ遊技機１０
　・・・略・・・
【００１８】
　図２に示すように、遊技盤１３の右下方には、表示手段としての
特別図柄表示装置Ｈ１とが設けられている
特別図柄表示装置Ｈ１では、
特別図柄
を
変動させて表示する図柄変動ゲームが行われる
　・・・略・・・
【００２９】
　上始動入賞口２５と下始動入賞口２７の各奥方には、入球した遊技球を検知する始動口スイッチＳＷ１，ＳＷ２（図５に示す）が配設されている。
上始動入賞口２５は、入球した遊技球を検知（入球検知）することにより、図柄変動ゲームの始動条件
を付与し得る
下始動入賞口２７は、入球した遊技球を検知（入球検知）することにより、図柄変動ゲームの始動条件
を付与し得る
【００３０】
　また、遊技盤１３において各始動入賞口２５，２７の下方には、図示しないアクチュエータ（ソレノイド、モータなど）の作動により開閉動作を行う大入賞口扉２８を備えた特別入賞手段としての大入賞口２９が配設されている。大入賞口２９の奥方には、入球した遊技球を検知するカウントスイッチＳＷ３（図５に示す）が配設されている。大入賞口２９は、入球した遊技球を検知することにより、予め定めた個数の賞球としての遊技球の払出条件を付与し得る。そして、
大当り遊技が付与されると、大入賞口扉２８の開動作によって大入賞口２９が開放されて遊技球の入球が許容される
大当り遊技は
図柄変動ゲームにて大当り図柄が確定停止表示されることを契機に付与される
　・・・略・・・
【０１０２】
　主制御用ＣＰＵ３５ａは、特別図柄に基づき特定される大当り遊技において、大当り遊技の開始時にオープニングコマンドを出力するとともに、各ラウンド遊技の開始時にラウンドコマンドを出力し、さらに大当り遊技の終了時にエンディングコマンドを出力する。オープニングコマンドはオープニング（演出）の開始を指示し、ラウンドコマンドはラウンド遊技（演出）の開始を指示し、エンディングコマンドはエンディング（演出）の開始を指示する。また、
主制御用ＣＰＵ３５ａは、特別図柄に基づき特定される大当り遊技において、各ラウンド遊技の開始時に、大入賞口２９を開放させるように制御する
　・・・略・・・
【０１２９】
　以下、主制御用ＣＰＵ３５ａが、入賞検知時に行う先読みコマンド設定処理の処理内容を図９に基づき説明する。
　先読みコマンド設定処理のステップＳ１０１において主制御用ＣＰＵ３５ａは、特別図柄入力処理（図６）のステップＳ４で取得した乱数のうち大当り判定用乱数の値が、大当り判定値と一致するか否かを判定する（以下、この判定を「事前大当り判定」と示す）。この事前大当り判定において主制御用ＣＰＵ３５ａは、現在の内部制御状態（入賞検知時の内部制御状態）に応じた大当り判定値を用いる。具体的に言えば、主制御用ＣＰＵ３５ａは、現在の内部制御状態が確変状態である場合、高確率用の大当り判定値（共通大当り判定値と確変用大当り判定値）を用いて事前大当り判定を行う。一方で、主制御用ＣＰＵ３５ａは、現在の内部制御状態（入賞検知時の内部制御状態）が非確変状態である場合、低確率用の大当り判定値（共通大当り判定値）を用いて事前大当り判定を行う。このように
主制御用ＣＰＵ３５ａは、各始動入賞口２５，２７で遊技球の入賞検知時、該入賞検知時に主制御用ＲＡＭ３５ｃに記憶された大当り判定用乱数の値が、後に行う大当り判定で大当りの当選とする判定結果となるか否かを事前判定する
　・・・略・・・
【０１５０】
　次に、各種先読みコマンドを入力した統括制御用ＣＰＵ３６ａの処理内容について説明する。
　最初に、各種先読みコマンドを入力した統括制御用ＣＰＵ３６ａが、当該コマンドの対象となった始動保留球に基づいた連続予告演出を実行し得る条件について図１３及び図１４に基づき説明する。
【０１５１】
　本実施形態のパチンコ遊技機１０では、事前大当り判定が肯定の場合、その大当りが特別図柄Ｂ，Ｃに基づく１５Ｒ短縮確変大当り遊技及び１５Ｒ短縮非確変大当り遊技でなければ、内部制御状態で定めた始動保留球を対象として連続予告演出を実行可能に構成されている。換言すれば、事前大当り判定が肯定であってもその大当りが特別図柄Ｂ，Ｃに基づく大当り遊技である場合には、連続予告演出を実行不可能に構成されている。なお、事前大当り判定が否定で、且つ事前リーチ判定が肯定の場合には、内部制御状態に定めた始動保留球を対象として連続予告演出を実行可能に構成されている。
　・・・略・・・
【０１６１】
　そして、このように本実施形態のパチンコ遊技機１０では、滞在中の演出モードと、大当りの場合に付与される大当り遊技の種類（特別図柄Ａか否か）に応じて、連続予告演出が実行可能か実行不可能かを定めている。
【０１６２】
　そして、各種先読みコマンドを入力した統括制御用ＣＰＵ３６ａは、連続予告演出が実行可能であることを特定する場合、当該コマンドの対象となった始動保留球に基づく図柄変動ゲームを特定の図柄変動ゲーム（最終回の図柄変動ゲーム）とする連続予告演出を実際に実行するか否かを判定する。本実施形態において連続予告演出は、既に連続予告演出を実行している場合、実行しないようになっている。すなわち、統括制御用ＣＰＵ３６ａは、これらの条件が成立した場合には連続予告演出を実行するか否かの判定を否定判定するとともに、前記条件が成立していない場合には実行抽選に当選することによって連続予告演出を実行するか否かの判定を肯定判定する。実行抽選は、所定の乱数を用いて行われるようになっており、対象となる始動保留球より以前に記憶されている始動保留球の数が多いほど当選確率が高められている。
【０１６３】
　
連続予告演出の実行を決定した統括制御用ＣＰＵ３６ａ
連続演出実行コマンドを入力した表示制御用ＣＰＵ３７ａは、図柄変動ゲームの開始に伴って所定の演出を実行させるように演出表示装置Ｈ２（画像表示部ＧＨ）の表示内容を制御する
【０１６４】
　また、本実施形態のパチンコ遊技機１０では、図柄変動ゲーム中に、当該図柄変動ゲームが大当りとなることを報知する大当り報知演出を実行する。当該大当り報知演出では、実行された図柄変動ゲームが大当りとなることを報知するため、大当りとなる図柄変動ゲームでしか実行されないようになっている。
【０１６５】
　以下、統括制御用ＣＰＵ３６ａにて行われる大当り報知演出に係る制御について説明する。
　統括制御用ＣＰＵ３６ａは、変動パターン指定コマンドを入力すると、変動パターン指定コマンドが指定する変動パターンが大当り演出用の変動パターンであるか否かを特定する。そして、変動パターン指定コマンドが指定する変動パターンが大当り演出用の変動パターンである場合、統括制御用ＣＰＵ３６ａは、飾り図柄用の図柄指定コマンドが指定する飾り図柄の図柄組み合わせが、１５Ｒ特別確変大当り遊技が付与されることが特定可能な確変確定の図柄組み合わせである場合、現在連続予告演出中であるかを判定する。具体的には、統括制御用ＣＰＵ３６ａは、統括制御用ＲＡＭ３６ｃに連続予告演出中であることを示す実行フラグが設定されているか否かを判定する。そして、統括制御用ＲＡＭ３６ｃに実行フラグが設定されていない場合、統括制御用ＣＰＵ３６ａは、実行フラグが設定されていない場合の所定の確率（本実施形態では、２５／１０１）で、大当り報知演出を実行するか否か報知判定を行う。一方、統括制御用ＲＡＭ３６ｃに実行フラグが設定されている場合、統括制御用ＣＰＵ３６ａは、実行フラグが設定されている場合の所定の確率（本実施形態では、５０／１０１）で、大当り報知演出を実行するか否かの報知判定を行う。なお、実行フラグが設定されている場合の所定の確率（５０／１０１）は、実行フラグが設定されていない場合の所定の確率（２５／１０１）よりも、高確率となるように設定されている。すなわち、本実施形態では、
連続予告演出中の方が、連続予告演出中でない場合と比較して、大当り報知演出が実行されやすくなっている
【０１６６】
　また、報知判定に当選した場合、統括制御用ＣＰＵ３６ａは、実行中の図柄変動ゲームにて、大当り報知演出を所定のタイミングで実行することを決定する。そして、統括制御用ＣＰＵ３６ａは、前記所定のタイミングで、演出表示制御基板３７と音声・ランプ制御基板３８に、大当り報知演出を実行することを指示する報知コマンドを出力する。また、前記報知判定に非当選の場合、統括制御用ＣＰＵ３６ａは、報知コマンドを出力しない。なお、本実施形態において、大当り報知演出は、何れの演出モードであっても、実行され得るようになっている。
【０１６７】
　次に、表示制御用ＣＰＵ３７ａにて行われる大当り報知演出に係る制御について説明する。
　
表示制御用ＣＰＵ３７ａは、
大当り報知演出が実行されたことを認識可能な演出内容の表示演出を実行するように演出表示装置Ｈ２の表示内容を制御する
演出表示装置Ｈ２に「大当り」と表示
【０１６８】
　ここで、連続予告演出が複数回の図柄変動ゲームに亘って実行される態様について図１５に基づき説明する。なお、図１５は、演出表示装置Ｈ２の表示態様を示している。
　図１５では、連続予告演出が３回の図柄変動ゲームに亘って実行されることが決定された場合を例示する。また、図１５では、連続予告演出の最終回の図柄変動ゲームが大当りとなる図柄変動ゲームであって、当該図柄変動ゲームにおいて大当り報知演出を実行することが決定されたものとする。また、連続予告演出が開始されてから各始動入賞口２５，２７に遊技球は入賞しないものとする。
【０１６９】
　図１５（ａ）に示すように、連続予告演出開始前（連続予告演出における初回の図柄変動ゲーム開始前）には、演出表示装置Ｈ２に、保留画像Ｒｈａ１、Ｒｈａ２、Ｒｈａ３が表示されている。すなわち、演出表示装置Ｈ２における保留表示画像Ｒｈａの表示態様から保留記憶数が「３」であることを認識することができる。そして、図１５（ａ）において保留画像Ｒｈａ１に対応する主制御用ＲＡＭ３５ｃの記憶領域に記憶された最先の各乱数の値に基づき図柄変動ゲームが開始される（図１５（ｂ）に示す）。また、図１５（ｂ）に示すように、連続予告演出における１回目（初回）の図柄変動ゲームが開始されると演出表示装置Ｈ２には、保留画像Ｒｈａ３の表示されなくなり、保留画像Ｒｈａ１，Ｒｈａ２が表示されている。また、連続予告演出における図柄変動ゲームでは、図１５（ｂ）に示すように、演出表示装置Ｈ２に「連続予告演出中」と表示される。また、連続予告演出における１回目の図柄変動ゲームでは、図柄組み合わせ（［５６７］）が確定停止表示され終了する（図１５（ｃ）に示す）。
【０１７０】
　また、連続予告演出における１回目の図柄変動ゲームが終了すると、図１５（ｃ）において保留画像Ｒｈａ１に対応する主制御用ＲＡＭ３５ｃの記憶領域に記憶された各乱数の値に基づき図柄変動ゲームが開始され、連続予告演出における２回目の図柄変動ゲームが開始される（図１５（ｄ）に示す）。また、図１５（ｄ）に示すように、連続予告演出における２回目の図柄変動ゲームが開始されると演出表示装置Ｈ２には、保留画像Ｒｈａ２の表示されなくなり、保留画像Ｒｈａ１が表示されている。また、連続予告演出における図柄変動ゲームでは、図１５（ｄ）に示すように、演出表示装置Ｈ２に「連続予告演出中」と表示される。また、連続予告演出における２回目の図柄変動ゲームでは、図柄組み合わせ（［１１４］）が確定停止表示され終了する（図１５（ｅ）に示す）。
【０１７１】
　また、連続予告演出における２回目の図柄変動ゲームが終了すると、図１５（ｅ）において保留画像Ｒｈａ１に対応する主制御用ＲＡＭ３５ｃの記憶領域に記憶された最先の各乱数の値に基づき図柄変動ゲームが開始され、連続予告演出における３回目（最終回）の図柄変動ゲームが開始される（図１５（ｆ）に示す）。また、図１５（ｆ）に示すように、連続予告演出における３回目（最終回）の図柄変動ゲームが開始されると演出表示装置Ｈ２には、保留表示画像Ｒｈａが表示されない。連続予告演出における図柄変動ゲームでは、図１５（ｆ）に示すように、演出表示装置Ｈ２に「連続予告演出中」と表示される。それとともに、連続予告演出における最終回の図柄変動ゲームでは、前述したように、大当り報知演出を実行することが決定されていることから演出表示装置Ｈ２にて大当り報知演出が実行される。このように、大当り報知演出が実行されることにより、遊技者は実行中の図柄変動ゲームが連続予告演出における最終回の図柄変動ゲームであることを認識することができる。また、連続予告演出における最終回の図柄変動ゲームでは、大当りの図柄組み合わせ（［３３３］）が確定停止表示され終了する（図１５（ｇ）に示す）。
【０１７２】
　以上詳述したように、本実施形態は、以下の効果を有する。
　（１）１回の図柄変動ゲーム（変動サイクル）では、図柄変動ゲームの開始で図柄の変動表示され、図柄変動ゲーム終了時に図柄が停止表示（確定停止表示）される。また、連続予告演出では、１又は複数回の図柄変動ゲームに亘って特定の演出（本実施形態では、「連続予告演出中」の表示演出）が図柄変動ゲーム毎に実行される。そして、連続予告演出を行うとき、連続予告演出における最終回の図柄変動ゲーム（連続予告演出の実行対象の図柄変動ゲーム）では、連続予告演出の最終回の図柄変動ゲームではない図柄変動ゲームと比較して、大当り報知演出が実行されやすいようにした。
【０１７３】
　このように、連続予告演出が実行されている場合、連続予告演出における最終回の図柄変動ゲーム（変動サイクル）において大当り報知演出が実行されやすいため、大当り報知演出が実行されると、次の図柄の停止表示（現在の変動サイクル）が連続予告演出の最後であることを認識することができる。このように、連続予告演出の最終回の図柄変動ゲーム（変動サイクル）であることを思わせることにより、連続予告演出の最後にどのような図柄組み合わせが停止表示されるかについて十分注目させることができる。
【０１７４】
　（２）連続予告演出が実行されている場合、連続予告演出が実行されていない場合と比較して、連続予告演出における最終回の図柄変動ゲームにて大当り報知演出が実行されやすいようにした。このようにすることで、連続演出が実行されると、同時に大当り報知演出が実行されることへの期待感を持たせることができる。よって、連続予告演出が実行され始めると、遊技者の興趣を向上させることができる。
【０１７５】
　（３）大当り報知演出が実行されると、１５Ｒ特別確変大当り遊技が付与されることを認識可能にした。このようにすることで、大当り報知演出が実行された際の遊技者の興趣を、より向上させることができる。」
　（ウ）「【図１５】
」
　（エ）上記（ア）ないし（ウ）からみて、引用例１には、次の発明が記載されている。なお、ａないしｆについては本願補正発明のＡないしＦに対応させて付与し、引用箇所の段落番号を併記した。
「ａ　特別図柄を変動させて表示する図柄変動ゲームが行う特別図柄表示装置Ｈ１が設けられているパチンコ遊技機１０（【００１５】、【００１８】）であって、
　ｂ、ｃ　上始動入賞口２５又は下始動入賞口２７が、入球した遊技球を検知（入球検知）することにより、図柄変動ゲームの始動条件を付与し得、図柄変動ゲームにて大当り図柄が確定停止表示されることを契機に付与される大当り遊技において、各ラウンド遊技の開始時に、大入賞口２９を開放させ遊技球の入球が許容されるように制御するとともに、
　各始動入賞口２５、２７で遊技球の入賞検知時、該入賞検知時に主制御用ＲＡＭ３５ｃに記憶された大当り判定用乱数の値が、後に行う大当り判定で大当りの当選とする判定結果となるか否かを事前判定する、
　主制御用ＣＰＵ３５ａ（【００２９】、【００３０】、【０１０２】、【０１２９】）と、
　ｄ、ｆ　大当り報知演出が実行されたことを認識可能な演出内容の表示演出を実行するように、演出表示装置Ｈ２に「大当り」と表示して表示内容を制御するとともに、
　連続演出実行コマンドが入力され、図柄変動ゲームの開始に伴って所定の演出を実行させるように演出表示装置Ｈ２（画像表示部ＧＨ）の表示内容を制御する、
　表示制御用ＣＰＵ３６ａ（【０１６３】、【０１６７】）と、
　ｅ　連続予告演出の実行を決定する統括制御用ＣＰＵ３６ａ（【０１６３】）と、
　を備え、
　ｄ−１　連続予告演出中の方が、連続予告演出中でない場合と比較して、大当り報知演出が実行されやすくなっている（【０１６５】）、
　パチンコ遊技機１０。」（以下「引用発明」という。）
　イ　原査定の拒絶の理由に引用文献７として引用され、本願出願遡及日前に頒布された又は電気通信回線を通じて公衆に利用可能となった特開２００６−３４６２６号公報（平成１８年２月９日出願公開、以下「引用例２」という。）には、次の事項が図とともに記載されている。
　（ア）「【発明を実施するための最良の形態】
【００３７】
　以下、本発明の一実施形態を図面を参照して説明する。
　まず、遊技機の一例である
パチンコ遊技機
　・・・略・・・
【００４２】
　
遊技領域７の中央付近には、
可変表示装置９が設けられ
【００４３】
　可変表示装置９の上部には、識別情報としての特別図柄を可変表示する可変表示部を含む特別図柄表示器８が設けられている。特別図柄表示器８は、例えば、２つの７セグメント表示器によって構成される。
【００４４】
　特別図柄表示器８の左右には、それぞれ、左側の大入賞口１２ａが開放することを報知する左側開放報知表示器２０１と、右側の大入賞口１２ｂが開放することを報知する右側開放報知表示器２０１とが設けられている。左側開放報知表示器２０１および右側開放報知表示器２０１は、例えば、それぞれＬＥＤによって構成される。
【００４５】
　可変表示装置９の左側には、遊技演出に用いられる可動部材としてのハンマ１５１が設けられている。また、可変表示装置９の右側には、大当り遊技演出において大入賞口１２ａ，１２ｂの開放動作が実行されるラウンド数の抽選結果を遊技者に報知するラウンド抽選表示器２０３が設けられている。ラウンド抽選表示器２０３は、例えば、７セグメントＬＥＤによって構成される。
【００４６】
　
可変表示装置９の下方には
可変入賞球装置１５が設けられ
【００４７】
　可変表示装置９と特別図柄表示器８との間には、始動入賞口１３に遊技球が入った有効入賞球数すなわち始動記憶数を表示する４つのＬＥＤから成る特別図柄始動記憶表示器１８が設けられている。すなわち、始動記憶数のうち入賞順に４個まで表示する。特別図柄始動記憶表示器１８は、始動入賞口１３に有効始動入賞がある毎に、点灯状態とするＬＥＤの数を１増やす。そして、特別図柄始動記憶表示器１８は、特別図柄表示器８で可変表示が開始される毎に、点灯状態とするＬＥＤの数を１減らす（すなわち１つのＬＥＤを消灯する）。この例では、特別図柄始動記憶表示器１８は、特別図柄表示器８で可変表示が開始される毎に、点灯状態をシフトする。なお、この例では、始動入賞口１３への入賞による始動記憶数に上限数（４個まで）を設けているが、上限数を４個以上としてもよい。
【００４８】
　
可変入賞球装置１５の下部の左右には
大入賞口１２ａ，１２ｂが設けられ
　・・・略・・・
【０３０３】
　次に、大当りが発生したあとの大当り遊技演出における可変表示装置９の表示状態の具体例について説明する。図５０は、大当りが発生したあとの大当り遊技演出における可変表示装置９の表示状態の例を示す説明図である。
【０３０４】
　演出制御用マイクロコンピュータ１０１は、
可変表示装置９に飾り図柄の停止図柄として大当り図柄を導出表示したあと
大当りが発生したことを遊技者に報知し
【０３０５】
　ラウンドパターンの抽選演出では、演出制御用マイクロコンピュータ１０１は、複数種類のラウンドパターンの変動表示（具体的には、８種類のラウンドパターンを示す表示である「１」〜「８」の変動表示）を表示領域Ｈ３にて実行し、複数種類のラウンド数の変動表示（具体的には、３種類の開放可能回数を示す表示である「２」、「４」、「８」の変動表示）を表示領域Ｈ４にて実行する（図５０（Ｄ））。そして、遊技者によってボタン１７が押下されると、演出制御用マイクロコンピュータ１０１は、変動表示を終了し、決定されているラウンドパターンを表示領域Ｈ３に停止表示するとともに、ラウンド数を表示領域Ｈ４に停止表示する（図５０（Ｅ））。なお、抽選結果としてのラウンド数は、遊技制御用マイクロコンピュータ６０の制御によりラウンド抽選表示器２０３にも表示される。
【０３０６】
　次いで、演出制御用マイクロコンピュータ１０１は、各ラウンドが開始される前（開閉板２０ａ，２０ｂのいずれかが開放される前）に、今回のラウンド数を表示領域Ｈ５に表示することで報知するためのラウンド数報知と、前ラウンドまでの各ラウンドにおける大入賞口１２ａ，１２ｂの開放位置（開放履歴）を表示領域Ｈ６に表示することで報知するための開放履歴報知と、
今回のラウンドにおいて大入賞口１２ａ，１２ｂのいずれが開放されるのかを表示領域Ｈ７に表示することで報知するための開放位置報知
を行う
【０３０７】
　本例では、可変表示装置９における表示領域Ｈ５に、ラウンド数報知として、「１Ｒ」，「２Ｒ」などの表示がなされる。また、可変表示装置９における表示領域Ｈ６に、開放履歴報知として、「左」、「右」、・・・のように、各ラウンドにおいて開放された大入賞口１２ａ，１２ｂの位置がラウンド順に表示される。すなわち、大入賞口１２ａが開放されたラウンドでは「左」が表示され、大入賞口１２ｂが開放されたラウンドでは「右」が表示される。さらに、可変表示装置９における表示領域Ｈ７に、開放位置報知として、開放する大入賞口１２ａ，１２ｂが設置されている位置を示す矢印と方向（右または左）とが表示される。
具体的には、大入賞口１２ａを開放する場合には「左」という文字と左側を指す矢印とが表示され、大入賞口１２ｂを開放する場合には「右」という文字と右側を指す矢印とが表示される
【０３０８】
　そして、決定されたラウンドパターンにおける全てのラウンドが終了すると、あるいは、継続権が獲得されることなくラウンドが終了すると、演出制御用マイクロコンピュータ１０１は、可変表示装置９の表示領域Ｈ８に大当り遊技演出を終了する旨の報知を行う（図５０（Ｊ））。」
　（イ）「【図５０】
」
　（ウ）上記（ア）及び（イ）からみて、引用例２には、次の事項が記載されている。
　「遊技領域７の中央付近には可変表示装置９が設けられ、該可変表示装置９の下方には可変入賞球装置１５が設けられ、可変入賞球装置１５の下部の左右には大入賞口１２ａ，１２ｂが設けられたものであり、可変表示装置９に飾り図柄の停止図柄として大当り図柄を導出表示したあと、大当りが発生したことを遊技者に報知するパチンコ遊技機等の遊技機（【００３７】、【００４２】、【００４６】、【００４８】、【０３０３】）において、
　今回のラウンドにおいて大入賞口１２ａ，１２ｂのいずれが開放されるのかを表示領域Ｈ７に表示することで報知するための開放位置報知とを行うものであり、具体的には、大入賞口１２ａを開放する場合には「左」という文字と左側を指す矢印とが表示され、大入賞口１２ｂを開放する場合には「右」という文字と右側を指す矢印とが表示すること（【０３０６】、【０３０７】）。」（以下「引用例２の記載事項」という。）
　ウ　原査定の拒絶の理由に引用文献８として引用され、本願出願遡及日前に頒布された又は電気通信回線を通じて公衆に利用可能となった特開２０１１−２４５３２９号公報（平成２３年１２月８日出願公開、以下「引用例３」という。）には、次の事項が図とともに記載されている。
　（ア）「【発明を実施するための形態】
【００２６】
実施の形態１．
　以下、本発明の一実施形態を図面を参照して説明する。まず、遊技機の一例である
パチンコ遊技機
　・・・略・・・
【００３０】
　
遊技領域７の中央付近には
可変表示装置
９が設けられ
　・・・略・・・
【００３３】
　
可変表示装置９の下方には
可変入賞球装置１５が設けられ
【００３４】
　
可変入賞球装置１５の下部の左側には、
開閉板２０１が設けられ
可変入賞球装置１５の下部の右側には、
開閉板２０２が設けられ
２つの開閉板２０１，２０２によって２つの大入賞口
が形成され
左側の大入賞口を第１大入賞口
右側の大入賞口を第２大入賞口
【００３５】
　この実施の形態では、
大当り遊技中に第１大入賞口および第２大入賞口のいずれか一方が所定回数開放される
【００３６】
　第１大入賞口（左側の開閉板２０１）の左方には、第１大入賞口が最初に開放される前に、大当り遊技において第１大入賞口を開放することを遊技者に報知するための第１大入賞口表示灯３８が設けられている。また、第２大入賞口（右側の開閉板２０２）の右方には、第２大入賞口が最初に開放される前に、大当り遊技において第２大入賞口を開放することを遊技者に報知するための第２大入賞口表示灯３９が設けられている。遊技者は、第１大入賞口表示灯３８が点灯することによって第１大入賞口が開放されることを認識し、第２大入賞口表示灯３９が点灯することによって第２大入賞口が開放されることを認識することができる。これにより、遊技者がいずれの大入賞口（特別可変入賞装置）が開放状態になるかについて認識できずに不利益を受けてしまうのを防止することができる。
　・・・略・・・
【０７９６】
　なお、いずれの大入賞口が開放されるかについて大入賞口表示灯によって報知するタイミングは、大当り図柄が停止表示されているタイミングとしていたが、このような構成に限られず、大入賞口が開放される直前や大入賞口が開放された後（開放中）などであってもよい。また、演出用のマイクロコンピュータがファンファーレコマンドにもとづいて演出装置（可変表示装置９やランプ／ＬＥＤ、スピーカ２７）を用いて大当りの種別を報知することにより、いずれの大入賞口が開放されるかについて報知するように構成されていたが、ファンファーレコマンド以外の演出制御コマンドにもとづいて、いずれの大入賞口が開放されるかについて報知するようにしてもよい。例えば、大当りの種別を指定可能な（大当りの種別に応じて分けられている）飾り図柄停止指定コマンド、大入賞口開放中表示コマンドまたは大入賞口開放後表示コマンドを送信し、演出用のマイクロコンピュータがそれらの演出制御コマンドにもとづいて、大入賞口の開放直前や開放後などに大当りの種別を報知することにより、いずれの大入賞口が開放されるかについて報知するようにしてもよい。また、大当りの種別に対応させて大入賞口のいずれが開放されるかについて報知するようにしていたが、大当りの種別と大入賞口の開放位置とを対応させないようにしてもよい。この場合は、
いずれの大入賞口が開放されるかについて可変表示装置９の画面に表示するなどの方法によって遊技者に大入賞口の開放位置を報知するようにする
　（イ）上記（ア）からみて、引用例３には、次の事項が記載されている。
「遊技領域７の中央付近には可変表示装置９が設けられ、該可変表示装置９の下方には可変入賞球装置１５が設けられ、該可変入賞球装置１５の下部の左側には開閉板２０１が、可変入賞球装置１５の下部の右側には開閉板２０２がそれぞれ設けられ、２つの開閉板２０１，２０２によって２つの大入賞口が形成されたものであり、大当り遊技中に左側の大入賞口である第１大入賞口および右側の大入賞口である第２大入賞口のいずれか一方が所定回数開放されるパチンコ遊技機（【００２６】、【００３０】、【００３３】ないし【００３５】）において、
　いずれの大入賞口が開放されるかについて可変表示装置９の画面に表示するなどの方法によって遊技者に大入賞口の開放位置を報知するようにすること（【０７９６】）。」（以下「引用例３の記載事項」という。）
　
　エ　本願出願遡及日前に頒布された又は電気通信回線を通じて公衆に利用可能となった特開２０１１−４３１号公報（平成２３年１月６日出願公開、以下「引用例４」という。）には、次の事項が図とともに記載されている。
　（ア）「【００１１】
　本発明を適用した第１の実施形態の弾球遊技機たるパチンコ機を説明する。図１に示すように、
パチンコ機５０
　前枠５２の板ガラス６１の奥には前記内枠に保持された遊技盤１０（図２）が設けてある。
　・・・略・・・
【００１５】
　図２に示すように、遊技盤１０には外レール１１と内レール１２とによって囲まれた略円形の遊技領域１３が形成されている。
遊技領域１３には、その中央部にセンターケース１４が装着され、センターケース１４のほぼ中央下方および右斜め下方位置にはそれぞれ第１および第２の普通図柄の始動口２１Ａ，２１Ｂが設置され
　普通図柄(以下、単に普図という)の始動口２１Ａ，２１Ｂは普図の当否抽選を実行する始動口であり、前記始動口２１Ａ，２１Ｂのいずれかに遊技球が入球すると普図の当否抽選用の複数種類の乱数が抽出され、抽出された乱数は普図の保留記憶として記憶される。
【００１６】
　センターケース１４の直下に位置する前記第１普図始動口２１Ａの右横位置には、普図の当否抽選が当選したときに開放される普通電動役物からなる特別図柄の始動口２２が配設されている。該始動口２２は特別図柄(以下、単に特図という)の当否抽選用の始動口であり、特図の始動口２２に遊技球が入球すると複数種類の乱数が抽出され、これらの乱数に基づいて特図の当否抽選が行われる。特図の始動口２２は普通電動役物で構成され、普図の当選時に、予め設定された所定時間および所定回数で開放する。例えば、通常の遊技状態であれば約２．６秒の開放が２回行なわれる。なお、始動口２２に入球させるにはセンターケース１４の上方を通過させて遊技領域の右側に発射（いわゆる右打ち）すると入球し易いように配置されている。
【００１７】
　
前記第２普図始動口２１Ｂの下方位置には、特図の当否抽選が当選となって当り遊技に移行したときに開放される特別電動役物からなる大入賞口２５が配設され
　・・・略・・・
【００３０】
　次にパチンコ機５０の作動を説明する。
　パチンコ機５０は、第１または第２の普図始動口２１Ａ，２１Ｂに遊技球が入球すると、普図の当否抽選を実行する。このとき普通図柄表示装置１８および演出図柄表示装置１５の図柄変動を開始し、その後、普通図柄表示装置１８に普図を、演出図柄表示装置１５に普図に対応する擬似図柄を確定表示して前記抽選結果を報知する。抽選結果が当りであれば普図の当り遊技として普通電動役物(特図の始動口２２)を開放する。
　この状態で特図の始動口２２に遊技球が入球すると特図の当否抽選を実行し、該抽選結果が当りであれば特図の当り遊技として大入賞口２２を開放する。なお特図の抽選結果は特別図柄表示装置１６に特図を確定表示して報知する。
　そして特図の当り遊技終了には遊技状態が通常の遊技状態とは異なる特別の遊技状態へ移行される。特別な遊技状態として、普図の当選確率を高確率とする普図確率変動機能、普通電動役物の開放延長機能および特図の当選確率を高確率とする特図確率変動機能が作動する第１の特別遊技状態、または普図確率変動機能および開放延長機能が作動する第２の特別遊技状態に移行する。
　このように特図の当り遊技の終了後には、普図の当り遊技が生起しやすい状態となって、特図の当り遊技を連続して実行させることが可能である。なお、特図の当り遊技はリミッタにより制限される。
　以下、主制御装置８０（厳密には、そのＣＰＵ）が実行するプログラム処理に基づいて作動の詳細を説明する。
　・・・略・・・
【００６７】
　また本パチンコ機５０は、図２に示すように、遊技領域１３の中央下部に第１の普図始動口２１Ａを設け、右側に第２の普図始動口２１Ｂを設け、第１の普図始動口２１Ａを狙って遊技球を発射する左打ち遊技と、第２の普図始動口２１Ｂを狙って遊技球を発射する右打ち遊技とを可能とする構成である。
　そして図２４に示す遊技状態報知ランプ部３０に設けた
左右の打ち位置ランプ４１，４２によりに左打ち遊技または右打ち遊技を推奨していることを報知する
　一方、特図の始動口２２（普通電動役物）の作動中、
大入賞口２５（特別電動役物）の作動中、第１および第２特別遊技状態の時（開放延長機能が作動している）は、右打ち位置ランプ４２を点灯して、右打ち遊技を推奨する
　このように遊技の進行に応じて、左打ち遊技または右打ち遊技のいずれかを推奨することにより、遊技者の緊張感および期待感をより高める効果を奏す。
　なお、図２４中、４３は特図確変状態であることを示すランプ、４４は時短状態であることを示すランプ、４５はリミッタ作動状態となると点灯するランプ、１９は前記普図保留数表示装置である。
【００６８】
　また左右の打ち位置ランプ４１，４２の表示の他に、推奨する打ち位置を報知する手段として、図２５（ａ）に示すように、
演出図柄表示装置に打ち位置を表示する
　更に、
右打ち推奨中に左側の第１の普図始動口２１Ａへの入球が検出されると、
右打ちを推奨する表示を行う
　（イ）「【図２５】
」
　（ウ）【００６８】の記載、上記図２５（ａ）及び（ｂ）の記載からみて、
演出図柄表示装置に、右打ち遊技を推奨する表示として、まず「○右打ち○」を表示し、左側の第１の普図始動口２１Ａへの入球が検出されると、「◆右打ちして下さい◆」を表示する
　（エ）上記（ア）ないし（ウ）からみて、引用例４には、次の事項が記載されている。
「遊技領域１３には、その中央部にセンターケース１４が装着され、センターケース１４のほぼ中央下方および右斜め下方位置にはそれぞれ第１および第２の普通図柄の始動口２１Ａ，２１Ｂが設置され、前記第２普図始動口２１Ｂの下方位置には、特図の当否抽選が当選となって当り遊技に移行したときに開放される特別電動役物からなる大入賞口２５が配設されたパチンコ機５０において（【００１１】、【００１５】、【００１７】）、
　左右の打ち位置ランプ４１，４２により、左打ち遊技または右打ち遊技を推奨していることを報知するとともに（【００６７】）、
　演出図柄表示装置に、右打ち遊技を推奨する表示を行い、右打ち遊技を推奨する表示として、まず「○右打ち○」を表示し、左側の第１の普図始動口２１Ａへの入球が検出されると、「◆右打ちして下さい◆」を表示すること（【００６８】、図２５、（ウ））。」（以下「引用例４の記載事項」という。）
（３）対比
　ア　本願補正発明と引用発明とを対比する。なお、以下の見出し（ａ）ないし（ｆ）は、本願補正発明のＡないしＦに対応させている。
（ａ）引用発明の「特別図柄を変動させて表示する・・・パチンコ遊技機１０」は、「Ａ　可変表示を行う遊技機」に相当する。
（ｂ）引用発明の「遊技球」、「上始動入賞口２５又は下始動入賞口２７」及び「大入賞口２９」は、それぞれ本願補正発明の「遊技媒体」、「所定領域」及び「可変入賞装置」に相当する。
　また、引用発明において、「主制御用ＣＰＵ３５ａ」は、「上始動入賞口２５又は下始動入賞口２７」（所定領域）が、入球した「遊技球」（遊技媒体）を検知することにより、図柄変動ゲームの始動条件を付与し得、図柄変動ゲームにて大当り図柄が確定停止表示されることを契機に付与される大当り遊技において、各ラウンド遊技の開始時に、「大入賞口２９」（可変入賞装置）を開放させ「遊技球」（遊技媒体）の入球が許容されるように制御するものである。
　そうすると、引用発明の「主制御用ＣＰＵ３５ａ」は、本願補正発明の「Ｂ　遊技媒体が所定領域を通過したことにもとづいて、可変入賞装置を遊技媒体が入賞しやすい状態に制御することが可能な可変入賞装置制御手段」に相当する構成を備える。
（ｃ）引用発明の「大当り図柄」の「確定停止表示」は、本願補正発明の「特定表示結果」に相当する。
　また、引用発明において、「主制御用ＣＰＵ３５ａ」は、各始動入賞口２５、２７で遊技球の入賞検知時、該入賞検知時に主制御用ＲＡＭ３５ｃに記憶された大当り判定用乱数の値が、後に行う大当り判定で大当りの当選とする判定結果となるか否かを事前判定するものであり、技術常識からみて、未だ開始していない図柄変動ゲームにて「大当り図柄」の「確定停止表示」（特定表示結果）がなされるか否かを判定しているものである。
　そうすると、引用発明の「主制御用ＣＰＵ３５ａ」は、「Ｃ　未だ開始していない可変表示において導出表示される表示結果が特定表示結果となるか否かを判定する判定手段」に相当する構成を備える。
（ｄ）引用発明において、大当り遊技において、各ラウンド遊技の開始時に、大入賞口２９（可変入賞装置）を開放させ遊技球の入球が許容されるようになるのであるから、演出表示装置Ｈ２に「大当り」と表示することは、本願補正発明の「前記可変入賞装置が遊技媒体が入賞しやすい状態に制御されることを示唆する所定演出」に相当する。
　そして、引用発明の「表示制御用ＣＰＵ３６ａ」は、演出表示装置Ｈ２に「大当り」と表示（所定演出）して表示内容を制御するのであるから、「Ｄ　前記可変入賞装置が遊技媒体が入賞しやすい状態に制御されることを示唆する所定演出を実行する所定演出実行手段」に相当する構成を備える。
（ｅ）引用発明の「連続予告演出」は、引用発明の「当該判定の対象となった可変表示が実行される前の複数回の可変表示に亘って予告演出」に相当する。
　そして、引用発明の「連続予告演出」（予告演出）は、技術常識からみて、上記（ｃ）で説示した事前判定に基づいて、実行するか否かを統括制御用ＣＰＵ３６ａによって決定されていることは明らかである。
　そうすると、引用発明の「統括制御用ＣＰＵ３６ａ」は、「Ｅ　前記判定手段による判定にもとづいて、当該判定の対象となった可変表示が実行される前の複数回の可変表示に亘って予告演出を実行するか否かを決定する予告演出決定手段」に相当する構成を備える。
（ｆ）引用発明の「表示制御用ＣＰＵ３６ａ」は、連続演出実行コマンドが入力され、図柄変動ゲームの開始に伴って所定の演出を実行させるように演出表示装置Ｈ２（画像表示部ＧＨ）の表示内容を制御するものである。
　そして、上記（ｅ）で説示したことも踏まえれば、引用発明の「表示制御用ＣＰＵ３６ａ」は、「Ｆ　前記予告演出決定手段の決定にもとづいて前記予告演出を実行する予告演出実行手段」に相当する構成を備える。
（ｄ−１）引用発明は、連続予告演出（予告演出）中の方が、連続予告演出（予告演出）中でない場合と比較して、大当り報知演出（所定演出）が実行されやすくなっている。
　そして、上記（ｄ）のとおり、大当り報知演出を実行するのは、「表示制御用ＣＰＵ３６ａ」であるから、引用発明は、本願補正発明の「前記所定演出実行手段」が「Ｄ−１　前記予告演出が実行されたときには、該予告演出が実行されないときに比べて、高い割合で前記所定演出を実行する」ことに相当する構成を備える。
　イ　上記アからみて、本願補正発明と引用発明とは、
「Ａ　可変表示を行う遊技機であって、
　Ｂ　遊技媒体が所定領域を通過したことにもとづいて、可変入賞装置を遊技媒体が入賞しやすい状態に制御することが可能な可変入賞装置制御手段と、
　Ｃ　未だ開始していない可変表示において導出表示される表示結果が特定表示結果となるか否かを判定する判定手段と、
　Ｄ　前記可変入賞装置が遊技媒体が入賞しやすい状態に制御されることを示唆する所定演出を実行する所定演出実行手段と、
　Ｅ　前記判定手段による判定にもとづいて、当該判定の対象となった可変表示が実行される前の複数回の可変表示に亘って予告演出を実行するか否かを決定する予告演出決定手段と、
　Ｆ　前記予告演出決定手段の決定にもとづいて前記予告演出を実行する予告演出実行手段とを備え、
　前記所定演出実行手段は、
　Ｄ−１　前記予告演出が実行されたときには、該予告演出が実行されないときに比べて、高い割合で前記所定演出を実行する、
　遊技機。」である点で一致し、次の点で相違する。
　・相違点１（特定事項Ｄ−２）
　本願補正発明では、「前記可変入賞装置が遊技媒体が入賞しやすい状態に制御されている間、継続して前記可変入賞装置の位置を報知し」ているのに対し、
　引用発明では、そのような特定がない点。
　・相違点２（特定事項Ｄ−３）
　本願補正発明では、「第１報知態様と、当該第１報知態様と異なる第２報知態様とに報知態様を切り替えて前記可変入賞装置の位置を報知する」のに対し、
　引用発明では、そのような特定がない点。
（４）判断
　ア　相違点１について検討する。
　（ア）パチンコ遊技機において、遊技領域の左右方向中央でない位置、例えば右側に大入賞口を設け、大当たり遊技のラウンド中に前記大入賞口が開放している間、該大入賞口の位置を特定可能なように報知することは周知（以下「周知技術」という。例．引用例２ないし４の記載事項（それぞれ上記（２）のイ（ウ）、ウ（イ）及びエ（エ）参照。））である。
　（イ）引用発明は、大当り遊技において、各ラウンド遊技の開始時に、大入賞口２９を開放させ遊技球の入球が許容されるように制御するものであるところ、遊技領域の左右方向中央でない位置、例えば右側に大入賞口を設けたパチンコ遊技機であって、ラウンド中に、開放している大入賞口の位置を特定可能に報知する周知技術に基づけば、引用発明において、遊技領域の左右方向中央でない位置、例えば右側に大入賞口を設けるとともに、ラウンド中に大入賞口（可変入賞装置）が開放（遊技媒体が入賞しやすい状態）している間、継続して大入賞口（可変入賞装置）の位置を報知するようになすことは当業者が適宜なし得たことである。
　（ウ）以上のとおり、引用発明において、上記相違点１に係る本願補正発明の特定事項となすことは当業者が周知技術に基づいて適宜なし得たことである。
　イ　相違点２について検討する。
　（ア）引用例４の記載事項（上記（２）エ（ウ））は、特図の当り遊技として大入賞口２２を開放するパチンコ機５０において、演出図柄表示装置に、右打ち遊技を推奨する表示を行い、右打ち遊技を推奨する表示として、まず「○右打ち○」を表示し、左側の第１の普図始動口２１Ａへの入球が検出されると、「◆右打ちして下さい◆」を表示するものである。要するに、引用例４の記載事項は、「○右打ち○」（第１報知態様）と、当該「○右打ち○」と異なる「◆右打ちして下さい◆」（第２報知態様）とに報知態様を切り替えて大入賞口（可変入賞装置）の位置を報知しているものである。
　（イ）引用発明は、大当り遊技において、大入賞口２９を開放させ遊技球の入球が許容されるように制御するものであるところ、引用例４の記載事項に接した当業者であれば、引用発明において、ラウンド中に大入賞口（可変入賞装置）が開放（遊技媒体が入賞しやすい状態）している間、継続して大入賞口（可変入賞装置）の位置を報知する態様として、第１報知態様と、当該第１報知態様と異なる第２報知態様とに報知態様を切り替えて、大入賞口（可変入賞装置）の位置を報知するようになすことは容易になし得たことである。
　（ウ）以上のとおり、引用発明において、上記相違点２に係る本願補正発明の特定事項となすことは当業者が引用例４の記載事項に基づいて適宜なし得たことである。
　ウ　本願補正発明の奏する効果は、引用発明の奏する効果、引用例４の記載事項の奏する効果及び周知技術の奏する効果から予測することができた程度のものである。
　エ　審判請求人の主張について
　（ア）審判請求人は、審判請求書において、以下のとおり、概略主張している。
「（３）　拒絶理由について 
　・・・略・・・
　そこで、出願人は、同日付提出の手続補正書によって、「前記所定演出実行手段は、前記可変入賞装置が遊技媒体が入賞しやすい状態に制御されている間、継続して前記可変入賞装置の位置を報知し、第１報知態様と、当該第１報知態様と異なる第２報知態様とに報知態様を切り替えて前記可変入賞装置の位置を報知する」という構成（構成Ｇ１，Ｉ１，Ｊ１）を規定しました。
　これにより、第１報知態様と第２報知態様とに報知態様を切り替えて可変入賞装置の位置を報知することが明確になりました。 
　審査官殿が周知技術の認定において例示された引用文献７（審決注：引用例２）および引用文献８（審決注：引用例３）には、可変入賞装置に対して、１種類の報知態様にて報知を行う技術が記載されています。
　しかしながら、上記構成のように、可変入賞装置が遊技媒体が入賞しやすい状態に制御されている間、可変入賞装置に対して、２種類の報知態様を切り替えて報知を行うことは、引用文献４（審決注：引用例１）、引用文献５、引用文献７、引用文献８のいずれにも記載されていません。
　さらに、本願発明は、上記構成を備えることにより、「単調になりがちな可変入賞装置の位置の報知において、異なる２種類の報知態様を切り替えて報知を行う。このような報知態様の異なる報知を行うことによって遊技者を飽きさせず、遊技の興趣を向上させることができる。」という有利な効果を奏します。
　したがいまして、本願発明１は、引用文献４に記載の発明または引用文献５に記載の発明および周知技術に基づいて、当業者が容易になし得たものではありません。」
　（イ）上記イで示したとおり、「第１報知態様と第２報知態様とに報知態様を切り替えて可変入賞装置の位置を報知する」ことは引用例４に記載されており、引用例４の記載事項を引用発明に適用して本願補正発明の特定事項のようになすことは容易であるから、審判請求人の主張を採用することはできない。
　（ウ）また、審判請求人は、上申書において、「そこで、出願人は、引用文献４との差異を明確にすべく、本願発明１および本願発明２において、下記の（ａ）および（ｂ）の点を明確にする補正を行うことを希望致します。　（ａ）可変入賞装置の位置を、第１報知態様により報知した後に、第２報知態様に切り替えて報知する点
　（ｂ）第２報知態様による報知よりも、第１報知態様による報知の方が、可変入賞装置の位置の報知に関する情報量が多い点」とし、補正を希望する旨述べている。
　しかしながら、引用例４の記載事項において、「◆右打ちして下さい◆」（第２報知態様）による報知よりも、「○右打ち○」（第１報知態様）による報知の方が、大入賞口（可変入賞装置）の位置の報知に関する情報量が少ないものの、いずれの情報量を少なくするかは当業者が適宜なし得た設計事項程度のことにすぎないから、上記（ｂ）のようになすことは当業者が容易に想到し得たものである。
　
（５）独立特許要件のむすび
　以上のとおりであるから、本願補正発明は、当業者が引用例１に記載された発明、引用例４の記載事項及び周知技術に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１ないし３に係る発明は、平成２９年３月１６日付けで補正された特許請求の範囲の請求項１ないし３に記載された事項によって特定されるものであるところ、そのうち請求項１に係る発明は、上記第２〔理由〕１（１）に本件補正前の請求項１として記載したとおりのものである。
　
２　原査定の拒絶の理由
　原査定の拒絶の理由は、この出願の平成２９年３月１６日付けの手続補正書により補正された請求項１及び２に係る発明は、その出願前に日本国内又は外国において頒布され又は電気通信回線を通じて公衆に利用可能となった下記引用文献４、７及び８に記載された発明に基いて、その出願前にその発明の属する技術の分野における通常の知識を有する者が容易に発明をすることができたものであるから、特許法第２９条第２項の規定により特許を受けることができない、という拒絶の理由を含むものである。
　引用文献４．特開２０１２−２４２６７号公報
　引用文献７．特開２００６−３４６２６号公報
　引用文献８．特開２０１１−２４５３２９号公報
３　引用例
（１）引用例１（引用文献４）、引用例２（引用文献７）及び引用例３（引用文献８）の記載事項は、上記第２〔理由〕３（２）に記載したとおりである。
　
４　対比・判断
　本願発明は、上記「第２〔理由〕１（２）」で検討した本願補正発明から、実質的に、「Ｄ−３　第１報知態様と、当該第１報知態様と異なる第２報知態様とに報知態様を切り替えて前記可変入賞装置の位置を報知する」に係る限定事項を削除したものである。
　そうすると、本願発明と引用発明とは、上記「第２〔理由〕３（３）」に記載した相違点１でのみ相違する。
　そして、引用発明において、相違点１に係る本願補正発明の特定事項となすことは、上記「第２〔理由〕３（４）」に記載したとおり、当業者が周知技術に基づいて適宜なし得たものであるから、本願発明は、当業者が引用発明及び周知技術に基づいて容易に発明をすることができたものである。
　
５　むすび
　本願発明は、以上のとおり、当業者が引用発明及び周知技術に基づいて容易に発明をすることができたものであるから、特許法第２９条第２項の規定により特許を受けることができない。
　したがって、本願は、他の請求項について検討するまでもなく、拒絶すべきものである。
　よって、結論のとおり審決する。